(57)【要約】カップ本体と水飲滑り蓋とを含み、前記水飲滑り蓋が前記カップ本体の外壁に套設され、かつ前記カップ本体の外壁に沿って滑動可能であり、前記カップ本体に上蓋が設置され、前記上蓋に出水ノズルが開設され、前記上蓋と前記カップ本体との間に隔離板が設置され、前記隔離板に出水孔が開設されており、前記上蓋内に押し型出水ユニットが設置され、前記押し型出水ユニットが前記出水孔および前記出水ノズルに接続されていることを特徴とするペット用携帯水遣り器である。本発明では、引出し可能な水飲滑り蓋を設けている。ペット水飲みの「小碗」として用いられ、省スペースで、便利で実用的である。
2021516987.tif 000002
【特許請求の範囲】
【請求項１】
カップ本体と水飲滑り蓋とを含み、前記水飲滑り蓋が前記カップ本体の外壁に套設され、
かつ前記カップ本体の外壁に沿って滑動可能であり、前記カップ本体に上蓋が設置され、
前記上蓋に出水ノズルが開設され、前記上蓋と前記カップ本体との間に隔離板が設置され
、前記隔離板に出水孔が開設されており、前記上蓋内に押し型出水ユニットが設置され、
前記押し型出水ユニットが前記出水孔および前記出水ノズルに接続されていることを特徴
とするペット用携帯水遣り器。
【請求項２】
前記押し型出水ユニットは、導水パイプ、嵌挿ブロック、第１ばねおよびボタンを含み、
前記導水パイプの一端が前記出水ノズルに連通し、その他端が前記出水孔に連通しており
、前記導水パイプの管壁に溝体が開設されており、前記嵌挿ブロックの一端が前記溝体を
介して前記導水パイプ内へ挿入され、前記嵌挿ブロックの他端が前記導水パイプの管壁か
ら延出し前記ボタンに接続されており、前記ボタンと前記導水パイプとの間に第１ばねが
設置されていることを特徴とする請求項１に記載のペット用携帯水遣り器。
【請求項３】
前記嵌挿ブロックの端部がＬ字状とし、前記嵌挿ブロックの末端と前記導水パイプの管壁
とが平行に設置されていることを特徴とする請求項２に記載のペット用携帯水遣り器。
【請求項４】
前記隔離板に進気孔が開設され、前記上蓋内にさらに水封ユニットが設置され、前記水封
ユニットはスライダ、孔塞りおよび第２ばねを含み、前記スライダに孔塞りが設置され、
前記孔塞りが前記進気孔に向けて設置されており、前記孔塞りの外壁に第２ばねが套設さ
れていることを特徴とする請求項１に記載のペット用携帯水遣り器。
【請求項５】
前記スライダの頂端に異なる深度の第１凹溝と第２凹溝が開設され、前記上蓋に水封用ス
イッチが設置され、前記水封用スイッチが伸出端を有し、前記伸出端が前記スライダに垂
直に設置されかつ前記第１凹溝または前記第２凹溝内に係合されていることを特徴とする
請求項５に記載のペット用携帯水遣り器。
【請求項６】
前記カップ本体内に濾過トレイが設置され、前記濾過トレイ内に濾過浄化ユニットが配置
されていることを特徴とする請求項１に記載のペット用携帯水遣り器。
【請求項７】
前記濾過浄化ユニットは、活性炭バッグを含むことを特徴とする請求項６に記載のペット
用携帯水遣り器。
【請求項８】
前記水飲スライダは、水飲チャンバーを含み、前記出水ノズルと前記水飲チャンバーとが
連通していることを特徴とする請求項１に記載のペット用携帯水遣り器。
【発明の詳細な説明】
【技術分野】
【０００１】
本発明は、ペット水飲み機の分野に関するもので、具体的に、ペット用携帯水遣り器に関
する。
【背景技術】
【０００２】
ますます多くの人がペットを飼育する。ペットの食事や日常生活は、ますますペット飼育
者の注目を受けている。
【０００３】
飼育者がペットを連れて外出する時は、ミネラルウォーターでペートに水を飲ませること
が多い。この場合に、ボトルの蓋を開放して、ペートの口に水を送る時は、水がこぼれや
すく、水の浪費をもたらすことがある。これに対しては、押しにより水を出させるような
ペット用の携帯水やり機構が提案されている。しかし、このような水やり機構は、その内
蔵部材、例えばばねなどが、水に浸かり、腐食しやすいので、寿命を短縮させるおそれが
ある。
【発明の概要】
【０００４】
本発明の解決しょうとする課題は、水飲滑り蓋付きで、押しによって出水が可能な、また
水封用スイッチ付きで、便利で実用的であり、かつ安全で衛生的である、使用寿命が延長
するペット用携帯水遣り器を提供することである。
【０００５】
上記の課題を解決するために、本発明は、カップ本体と水飲滑り蓋とを含み、前記水飲滑
り蓋が前記カップ本体の外壁に套設され、かつ前記カップ本体の外壁に沿って滑動可能で
あり、前記カップ本体に上蓋が設置され、前記上蓋に出水ノズルが開設され、前記上蓋と
前記カップ本体との間に隔離板が設置され、前記隔離板に出水孔が開設されており、前記
上蓋内に押し型出水ユニットが設置され、前記押し型出水ユニットが前記出水孔および前
記出水ノズルに接続されていることを特徴とするペット用携帯水遣り器を提供する。
【０００６】
好ましくは、前記押し型出水ユニットは、導水パイプ、嵌挿ブロック、第１ばねおよびボ
タンを含み、前記導水パイプの一端が前記出水ノズルに連通し、その他端が前記出水孔に
連通しており、前記導水パイプの管壁に溝体が開設されており、前記嵌挿ブロックの一端
が前記溝体を介して前記導水パイプ内へ挿入され、前記嵌挿ブロックの他端が前記導水パ
イプの管壁から延出し前記ボタンに接続されており、前記ボタンと前記導水パイプとの間
に第１ばねが設置されている。
【０００７】
好ましくは、前記嵌挿ブロックの端部がＬ字状とし、前記嵌挿ブロックの末端と前記導水
パイプの管壁とが平行に設置されている。
【０００８】
好ましくは、前記隔離板に進気孔が開設され、前記上蓋内にさらに水封ユニットが設置さ
れ、前記水封ユニットはスライダ、孔塞りおよび第２ばねを含み、前記スライダに孔塞り
が設置され、前記孔塞りが前記進気孔に向けて設置されており、前記孔塞りの外壁に第２
ばねが套設されている。
【０００９】
好ましくは、前記スライダの頂端に異なる深度の第１凹溝と第２凹溝が開設され、前記上
蓋に水封用スイッチが設置され、前記水封用スイッチが伸出端を有し、前記伸出端が前記
スライダに垂直に設置されかつ前記第１凹溝または前記第２凹溝内に係合されている。
【００１０】
好ましくは、前記カップ本体内に濾過トレイが設置され、前記濾過トレイ内に濾過浄化ユ
ニットが配置されている。
【００１１】
好ましくは、前記濾過浄化ユニットは、活性炭バッグを含む。
【００１２】
好ましくは、前記水飲スライダは、水飲チャンバーを含み、前記出水ノズルと前記水飲チ
ャンバーとが連通している。
【００１３】
本発明の有利な効果は、以下の通りである。
１）本発明では、引出し可能な水飲滑り蓋を設けている。ペット水飲みの「小碗」として
用いられ、省スペースで、便利で実用的である。
２）本発明にかかる押し型出水ユニットは、水に浸入しなく、独立して水路に分設してお
り、使用寿命が長く、安全で衛生的である。
３）本発明にかかるペット水遣り器は便利に携帯可能で、使用が簡易、かつ便利である。
【図面の簡単な説明】
【００１４】
本発明をより明確に説明するために、以下では、実施の形態の技術説明において必要とさ
れる図面を簡単に紹介する。以下の説明における図面は本発明の一部の実施形態にすぎず
、本領域内の一般技術者にとっては、創造的な労働を行わない前提として、これらの図面
に基づき、他の図面も得られることは明確である。
【図１】本発明の構成模式図である。
【図２】本発明の剖面模式図である。
【図３】同図２のＡ部における拡大模式図である。
【図４】本発明の水封ユニット模式図である。
【００１５】
［符号の説明］
１０  カップ本体
２０  水飲滑り蓋
３０  上蓋
４０  出水ノズル
４１  ボタン
４２  接続部材
４３  第１ばね
４４  固定ブロック
４５  嵌挿ブロック
４６  導水パイプ
５０  隔離板
５１  進気孔
６０  水封用スイッチ
６１  伸出端
６２  スライダ
６３  第２ばね
６４  孔塞り
６５  第１凹溝
６６  第２凹溝
７０  濾過トレイ
７１  活性炭バッグ
【発明を実施するための形態】
【００１６】
以下、本特許の実施形態における図面とともに、本特許の実施形態における技術的な態様
を明確かつ完全に説明する。説明した実施形態は、全ての実施形態ではなく、本特許の一
部の実施形態にすぎないことは明らかである。本特許における実施例に基づいて、当業者
は、創造的労働を行わない前提で取得される他の実施形態のすべては、本特許保護の範囲
に属する。
【００１７】
図１〜図４に示されるように、本発明は、ペット用携帯水遣り器を公開している。カップ
本体１０と水飲滑り蓋２０とを含み、前記水飲滑り蓋２０が前記カップ本体１０の外壁に
套設され、かつ前記カップ本体１０の外壁に沿って滑動可能である。前記カップ本体１０
に上蓋３０が設置されている。前記上蓋３０に出水ノズル４０が開設されている。前記上
蓋３０と前記カップ本体１０との間に隔離板５０が設置されている。前記隔離板５０に進
気孔５１および出水孔が開設されている。前記上蓋３０に押し型出水ユニットが設置され
ている。前記押し型出水ユニットが前記出水孔５２および前記出水ノズル４０に接続され
ている。
【００１８】
図１は、本発明の構成模式図を示す。カップ本体１０の外壁に水飲滑り蓋２０が套設され
、水飲滑り蓋２０によって水飲滑り蓋２０を引開いたら、ペット水飲みの「小碗」として
使用できる。水飲滑り蓋２０は水飲チャンバーを有する。出水ノズル４０と水飲滑り蓋２
０とが連通する。このようにして、飲用水が容易に水飲滑り蓋２０内へ流れ込む。上蓋３
０にボタン４１および水封用スイッチ６０が設置されている。水封用スイッチ６０が左右
に移動可能である。水封用スイッチ６０を開放して、ボタン４１を押したら、水が出水ノ
ズル４０から水飲滑り蓋２０中へ流れ込む。このようにペットに水を飲用させることがで
きる。水飲みが終わったら、水飲滑り蓋２０を押し入れて、本機器を携帯することが可能
である。このような水飲滑り蓋によって、本機器は、収納が便利で、別途に水盛り器具を
用意する必要がないという利点を具備する。
【００１９】
図２は本発明の剖面模式図を示す。上蓋３０とカップ本体１０の間に隔離板５０が設置さ
れ、隔離板５０に進気孔５１と出水孔５２が開設されている。進気孔５１が塞がれると、
出水孔５２から水が出られない。上蓋３０内に押し型出水ユニットが設置されている。押
し型出水ユニットは導水パイプ４６、嵌挿ブロック４５、第１ばね４３およびボタン４１
を含む。導水パイプ４６の一端が出水ノズル４０に連通して、その他端が出水孔５２に連
通している。導水パイプ４６に溝体が開設され、嵌挿ブロック４５が溝体を介して導水パ
イプ４６内へ垂直に挿入される。該導水パイプ４６内に挿入した挿入片４５の端部がＬ字
状とし、その末端が導水パイプ４６の管壁に平行に設置される。嵌挿ブロック４５の他端
が接続部材４２によってボタン４１に接続される。ボタン４１を押すと、接続部材４２と
嵌挿ブロック４５が左向きに移動し、導水パイプ４６内で導通状となって、水流が導水パ
イプ４６から流出できる。導水パイプ４６の左側に固定ブロック４４が設置され、接続部
材４２と固定ブロック４４の間に第１ばね４３が設置される。ボタン４１を解放すると、
接続部材４２が第１ばね４３の作用によって左向きに作動し、かつ嵌挿ブロック４５が連
動して左向きに作動する。そうして、導水パイプ４６が塞がれて、水流が流出できない。
このような押し型出水ユニットは、ニーズによって異なる量の水を倒すことができ、正確
的に水流出量を制御することができる。カップ本体１０内に濾過トレイ７０が設置され、
濾過トレイ７０内に濾過浄化ユニットが配置される。本実施例の濾過浄化ユニットは、活
性炭バッグ７１を含む。濾過浄化ユニットは、飲用水を濾過するものとして働き、ペット
の健康的水飲みを保証する。
【００２０】
図３は、図２のＡ部における拡大図を示す。上蓋３０内にさらに水封ユニットが設置され
る。水封ユニットは、水が流出するかを制御するものとして働く。水封ユニットは、スラ
イダ６２、孔塞り６４および第２ばね６３を含む。スライダ６２は鉛直に設置され、孔塞
り６４がスライダ６２の下側に設けられ、スライダ６２に連れて下向きに作動可能で、進
気孔５１を塞ぐことができる。また孔塞り６４の外壁に第２ばね６３が套設される。
【００２１】
図４は水封ユニットの構成示意図を示す。スライダ６２の頂端に異なる深度の第１凹溝６
５と第２凹溝６６が開設されている。第２凹溝６６は第１凹溝６５より深度が大きい。上
蓋３０に水封用スイッチ６０が設置され、水封用スイッチ６０が上蓋３０に設置される。
水封用スイッチ６０が水平に滑動可能である。水封用スイッチに伸出端６１が設置され、
伸出端６１がスライダ６２に垂直して設置され、また伸出端６１が第１凹溝６５または第
２凹溝６６内に係合する。水封用スイッチ６０を左へ移動させて、伸出端６１が第１凹溝
６５に係合して、スライダ６２を下向きに移動させて、孔塞り６４が下向きに移動して進
気孔５１を塞ぐ。こうしたら、このペット水遣り器は水が出られない。水封用スイッチ６
０を右へ移動させて、伸出端６１が第２凹溝６６内に係り込んで、スライダ６２が第２ば
ね６３の作用によって上向きに移動する。こうしたら、孔塞り６４もスライダ６２ととも
に上向きに作動する。このようになって、進気孔５１が進気可能となって、この水遣り器
を図１の状態に変えて、ボタン４１を押すと、このペット水遣り器から水が出る。水封ユ
ニットはボタン４１をミス押して水が漏すことを防止する。出水口５２の口径が小いため
、水封用スイッチ６０をオフにさせれば、ボタン４１を押すにかかわらず、出水ノズル４
０から水が出ないようにできる。
【００２２】
本実施例では、隔離板５０の上側に押し型出水ユニットと水封ユニットが設置されており
、水封ユニットと押し型出水ユニット内の部品が、水に浸入しなく、水路と独立で分設す
るように構成されているので、使用寿命を延ばすことができ、健康、衛生面ではさらにす
ぐれている。
【００２３】
開示された実施形態の上述の説明により、当業者は本特許を実現または使用することがで
きる。これらの実施形態の様々な修正は、当業者にとって明白であり、本明細書で定義さ
れた一般原理は、本特許の精神または範囲から逸脱することなく、他の実施形態において
実現されることができる。したがって、本特許は、本明細書で示したこれらの実施形態に
限定されるものではなく、本明細書で開示された原理および新規点が一致する最も広い範
囲に適合するものとする。
【図１】
2021516987.tif 000003
【図２】
2021516987.tif 000004
【図３】
2021516987.tif 000005
【図４】
2021516987.tif 000006
【国際調査報告】
2021516987.tif 000007
2021516987.tif 000008
2021516987.tif 000009
2021516987.tif 000010